(57)【特許請求の範囲】
【請求項１】
電流遮断部が左右平行に並べてその先端部に固定接点を固着した第１および第２の固定接触子と、Ｕ字形アームの先端に可動接点を固着して前記固定接点に対向させた回動式の橋絡形可動接触子と、第１および第２の各固定接触子に対応して前記可動接触子の開極移動経路の前方に配置し、かつ複数のグリッド板を側壁の間に隙間を介して上下段に配列した消弧装置からなり、前記固定接触子，消弧装置をモールド樹脂製のユニット組立フレームに搭載した２点切り方式の回路遮断器において、
前記第１および第２の固定接触子の先端部に、固定接点を左右から包囲して可動接触子の開極移動方向に側辺部が起立延在するＵ字形の磁気ヨークを配置すると共に、前記第１および第２の固定接触子を前記ユニット組立フレームに左右からそれぞれ搭載し、前記ユニット組立フレームには、第１の固定接触子と第２の固定接触子との間に分け入って可動接触子の開極移動経路全域に延在する絶縁バリア、および該絶縁バリアの左右両側に配置して第１および第２の固定接触子の先端部に配した前記磁気ヨークの左右側辺部を内側から覆う絶縁材のヨークカバーを設けるとともに、前記消弧装置のグリット板の最上段に、第１、第２の固定接触子と個々に対応する左右の消弧室に跨がるアーク転流板を設けたことを特徴とする回路遮断器。
【請求項２】
請求項１に記載の回路遮断器において、ヨークカバーは、可動接触子の開極移動経路を左右から覆う逆Ｕ字形の絶縁壁であり、その側壁の先端部を磁気ヨークの左右側辺部の内側に差し込み、かつ前端を消弧装置の入口側に連ねてユニット組立フレームに装着したことを特徴とする回路遮断器。
【請求項３】
請求項１または２に記載の回路遮断器において、ヨークカバーを有機高分子材で構成したことを特徴とする回路遮断器。
【請求項４】
請求項１に記載の回路遮断器において、アーク転流板には、開極終端位置に移動して来た可動接触子のアーム先端に向けて突き出す左右一対のアークランナーを形成したことを特徴とする回路遮断器。
【発明の詳細な説明】
【技術分野】
【０００１】
本発明は、低圧配電路に適用する配線用遮断器を対象に、各極の電流遮断部に２対の開閉接点を直列に組み合わせて過電流を遮断する２点切り方式の回路遮断器に関し、詳しくはその電流遮断部のユニット構造に係わる。
【背景技術】
【０００２】
各極の電流遮断部に２対の開閉接点を直列に組み合わせて過電流を遮断するようにした２点切り方式の回路遮断器が公知である（例えば、特許文献１参照）。
この２点切り回路遮断器の電流遮断部は、左右に並べてその先端に固定接点を固着した第１および第２固定接触子と、Ｕ字状アームの先端に前記固定接点に接離する可動接点を固着した回動式の橋絡形可動接触子と、第１，第２の固定接触子と個々に対応して可動接触子の開極移動経路の前方に配した消弧装置から構成されている。次に、前記２点切り回路遮断器を図７に、その電流遮断部の従来構造を図８に示す。
まず、図７において、１０は回路遮断器の本体ケース、１１は操作ハンドル、１２は開閉機構部、１３は電流遮断部、１４は過電流引外し装置である。ここで、電流遮断部１３は、後記のように電源側，および負荷側端子に連なる左右一対の固定接触子と、固定接触子に対向して開閉機構部（開閉ばねで蓄勢されたトグルリンク機構）１２に連繋した橋絡形の可動接触子と、消弧装置とから構成されている。
図８は前記した電流遮断部１３の構成図で、１は電源側端子と一体になる第１の固定接触子、２は過電流引外し装置１４（図７参照）の作動素子を経由して負荷側端子に通じる第２の固定接触子、１ａ，２ａは固定接触子１，２の先端に固着した固定接点、３はＵ字状アームの先端に前記固定接点１ａ，２ａと接離する可動接点３ａ，３ｂを固着した橋絡形の可動接触子、４は固定接点１ａ，２ａと個々に対応させて可動接触子３の開極移動経路の前方に配した消弧装置、４ａは消弧装置４の左右側壁間に跨がって上下段に配列した消弧グリッド板（deion plate）、５は可動接触子３の接触子ホルダー、５ａはその支軸であり、接触子ホルダー５は図７の開閉機構部１２にリンク結合されている。なお、固定接触子１，２および消弧装置４は、図示してないユニット組立フレーム（モールド樹脂製）に搭載してユニットを構成し、このユニットを回路遮断器の本体ケース１（図６参照）の内部に装着するようにしている。一方、可動接触子３は支軸５ａを介して回路遮断器の本体ケースに組み付けられている。
【０００３】
上記構成になる回路遮断器の過電流保護動作は周知であり、配電路に過電流（短絡電流など）が流れると、固定接触子１，２と可動接触子３との間に電磁反発力が働いて可動接触子３が開極し始め、可動接点３ａ，３ｂが固定接点１ａ，２ａから開離する。同時に開閉機構部１２がトリップ動作して可動接触子３を開極終端位置に向けて駆動する。
また、この開極動作過程では、図９で示すように第１，第２固定接触子１，２の固定接点１ａ，２ａと可動接触子３の可動接点３ａ，３ｂとの間に発弧した２本のアークａｒｃが図中のＩからIIに伸長し、電磁駆動力を受けて消弧装置４に押し込まれる。これにより、アークは消弧装置４のグリッド板４ａにより分断されてアーク電圧が高まるとともに、冷却効果も加わってアークが消滅し、過電流が限流遮断されることは周知の通りである。しかも、この直列２点切り方式は通常の１点切り方式と比べて発生アークのアーク電圧が高く（２倍）なるので、高い限流遮断性能が得られる。
一方、前記した２点切り方式の回路遮断器とは別に、過電流の通電時に可動接触子に作用する電磁反発力を高める磁気駆動手段として、固定接触子の接点部周域を囲んで可動接触子３の開極方向に起立延在するＵ字形の磁気ヨーク（magnetic yoke）を設けた構成の回路遮断器が知られている（例えば、特許文献２参照）。
【０００４】
この構成により、電路の短絡事故などで固定接触子に過電流が流れると磁気ヨークに磁束が発生し、この磁束が可動接触子に作用して電磁反発力を高める。これにより、可動接触子の開極速度が増して遮断性能が向上する。
【特許文献１】特開平１１−２７３５３６号公報
【特許文献２】特開平６−２８３０９０号公報
【発明の開示】
【発明が解決しようとする課題】
【０００５】
図７，図８で述べた２点切り方式の回路遮断器について、その電流遮断部に配した第１，第２の固定接触子に特許文献２に開示の磁気ヨークを組み合わせることにより、トリップ動作時に可動接触子の開離初期速度が早くなって遮断性能の更なる向上が期待される。
そこで、発明者等は前記電流遮断部の第１，第２固定接触子に磁気ヨークを付設して遮断性能を検証したところ、固定接触子の接点部を左右から囲んで磁気ヨークを追加装備すると絶縁性確保の面で次記のような課題が生じることが判った。すなわち、図８に示した従来の電流遮断部（磁気ヨーク無し）では、回路遮断器を小形コンパクトに構成するために、各極ごとに左右に並べて配置した第１の固定接触子１と第２の固定接触子２との間を絶縁確保に必要な最小間隔に設定している。
この場合に、第１の固定接触子１と第２の固定接触子２との間の絶縁距離（空間距離，沿面距離）が十分に確保されてないと、可動接触子３の開極移動の途中で第１と第２の固定接触子の間が絶縁距離の短い経路を通じてフラッシュオーバーし、開極動作の開始直後に固定接触子１，２の接点と橋絡形可動接触子３の接点間に発弧して伸長した２本のアークが固定接触子の間に転流し、可動接触子３を経由せずに第１の固定接触子１と第２の固定接触子２の接点間がアークで直接繋がってしまうようになる。このような状態になると、アークを消弧装置４に駆動して分断，冷却させることもできず、さらに直列２点切り機能も働かなくなって所定の遮断性能が発揮できなくなる。
【０００６】
ところで、第１，第２の固定接触子１，２に対してその接点部を左右から包囲するようにＵ字形の磁気ヨークを固定接触子に組み付けると、磁気ヨークの側辺部が固定接触子の側縁から左右に張り出すために、従来構造のままでは固定接触子１と２の間の間隔がさらに狭まって絶縁距離が縮小する。このために、固定接点の間に前記したアーク転流が生じ易くなる。また、このようなアークの転流を防ぐように左右に並ぶ固定接触子１と２の間に大きな間隔（絶縁距離）を設定すると、各極の電流遮断部が占有する幅寸法が大きくなって回路遮断器の小形コンパクト化が困難となる。
また、磁気ヨーク（磁性材）は、電磁反発力の増強機能を発揮させるために、固定／可動接点間に発弧したアークの発弧点が磁気ヨークに転流しないように固定接点から絶縁隔離させる必要がある。この点について、先記の特許文献２では遮断器の本体ケースに絶縁壁で囲まれた凹状陥没部を形成してここに磁気ヨークを収容配置して固定接触子との間を絶縁隔離するようにしているが、この組立構造では本体ケースの形状が複雑となるほか、回路遮断器の組立工数も増えるために従来構造に代わる改善策が望まれる。
さらに、図８の２点切り回路遮断器では、可動接触子３の開離に伴い固定接点１ａ，２ａと橋絡形可動接触子３の可動接点３ａ，３ｂとの間に伸長したアーク（２本）のアーク電圧が、固定接触子１の固定接点１ａと固定接触子２の固定接点２ａとの間に直列に印加されることになる。このアーク電圧はアークの伸長とともに高まり、可動接触子３の全開離位置付近でアーク長が最長となる。このために、固定／可動接点間に伸長するアークのアーク電圧が左右に並ぶ固定接触子１と２の間の絶縁強度以上になると、固定接点の間が絶縁破壊して第１の固定接触子１と第２の固定接触子２の接点間がアークで直接繋がってしまい、その結果として２点切り回路遮断器の遮断性能が発揮できなくなる問題がある。
【０００７】
したがって、前記のような固定接点の間にアークが転流する挙動を防ぐには、固定／可動接点間に発生したアークが限流遮断に必要なアーク長以上に伸長する前に消弧装置側に転流させてアークを限流消弧させる必要がある。
本発明は上記の点に鑑みなされたものであり、その目的は前記課題を解決し、小形コンパクトな構成で高い限流遮断性能が得られるように電流遮断部のユニット構造を改良した回路遮断器を提供することを目的とする。
【課題を解決するための手段】
【０００８】
上記目的を達成するために、本発明によれば、電流遮断部が左右平行に並べてその先端部に固定接点を固着した第１および第２の固定接触子と、Ｕ字形アームの先端に可動接点を固着して前記固定接点に対向させた回動式の橋絡形可動接触子と、第１および第２の各固定接触子に対応して前記可動接触子の開極移動経路の前方に配置し、かつ複数のグリッド板を側壁の間に隙間を介して上下段に配列した消弧装置からなり、前記固定接触子，消弧装置をモールド樹脂製のユニット組立フレームに搭載した２点切り方式の回路遮断器において、
前記第１および第２の固定接触子の先端部に、固定接点を左右から包囲して可動接触子の開極移動方向に側辺部が起立延在するＵ字形の磁気ヨークを配置し、前記第１および第２の固定接触子を前記ユニット組立フレームに左右からそれぞれ搭載する。さらに、ユニット組立フレームには、第１の固定接触子と第２の固定接触子との間に分け入って可動接触子の開極移動経路全域に延在して第１の固定接触子と第２の固定接触子の間を隔離する絶縁バリアと、該絶縁バリアの左右両側に配置して第１および第２の固定接触子の先端部に設けた前記磁気ヨークの左右側辺部を内側から覆う絶縁材のヨークカバーを設けるとともに、前記消弧装置のグリッド板の最上段に、第１、第２の固定接触子と個々に対応する左右の消弧室に跨がるアーク転流板を設ける（請求項１）。
また、前記のユニット構造において、ヨークカバー，消弧装置は具体的に次記のような態様で構成する。
（１）ヨークカバーは、可動接触子の開極移動経路に沿ってその領域を左右から覆う逆Ｕ字形の絶縁壁で構成し、その左右側壁の先端部を磁気ヨークの左右側辺部の内側に嵌合した上で、前端を消弧装置に入口側に連ねてユニット組立フレームに装着する（請求項２）。
【０００９】
また、このヨークカバーは、固定／可動接点間に発弧したアークの熱を受けてアブレーションガス（ablation gas）を溶発する有機高分子材で構成する（請求項３）。
（２）消弧装置のグリッド板の最上段に設けたアーク転流板には開極終端位置に移動して来た可動接触子のアーム先端に向けて突き出す左右一対のアークランナーを形成し、固定/可動接点間に発生したアークが可動接触子の全開離位置近傍でアーク転流板に転流させるようにする（請求項４）。
【発明の効果】
【００１０】
上記の構成により、次記の効果が得られる。
（１）ユニット組立フレームに設けた絶縁バリアを挟んで、その左右に並ぶ第１，第２の固定接触子および各固定接触子に付設した磁気ヨークの間、および各固定接触子に対応する橋絡形可動接触子の開極移動経路を絶縁隔離することにより、過電流の遮断動作時に固定／可動接点間に発弧したアークが可動接触子の開極移動の途中で固定接点側に転流し、第１の固定接触子と第２の固定接触子の間が直接アークで繋がるのを阻止して信頼性の高い絶縁強度を確保できる。また、絶縁バリアを設けることで、その両側に配置する固定接触子の相互間隔を小さく設定できる。
（２）また、ヨークカバーを、可動接触子の開極移動経路に沿って上方に延在する逆Ｕ字形の絶縁壁で構成し、その側壁の下端側先端部を磁気ヨークの内側に嵌入するようにしたことで、ヨークカバーを電流遮断部のユニット組立フレームへ簡単に組み付けて磁気ヨークを接点から絶縁隔離することができる。
そして、このヨークカバーを、アーク熱を受けてアブレーションガスを溶発する有機高分子材で構成することで、電流遮断時にヨークカバーが細隙消弧壁として機能して限流遮断性能をより一層高めることができる。
（３）さらに、第１および第２の固定接触子に対応する消弧装置について、その開極端側に左右の消弧室に跨がるアーク転流板を設けて固定／可動接点間に生じたアークを可動接触子から消弧装置のアーク転流板側に転流させることにより、このアーク転流板を中継点として第１，第２の固定接触子との間に伸長するアークをグリッド板で分断して
限流消弧させることができる。
【００１１】
しかも、アークの転流後は可動接触子にアーク電流が流れなくなるので、アーク発弧による可動接点の損耗量を低くことができる。
以上のように、本発明の構成によりトータル的に小形コンパクトな構成で遮断性能の高い回路遮断器を提供することができる。
【発明を実施するための最良の形態】
【００１２】
以下、本発明の実施の形態を図１〜図６に示す実施例に基づいて説明する。なお、図１は電流遮断部の組立ユニット構造を表す分解斜視図、図２はユニット組立状態の外観図、図３（ａ），（ｂ）はユニット組立フレームに固定接触子，磁気ヨークの部品を組み付けた状態の側面図，および平面図、図４（ａ）〜（ｄ）はユニット組立フレームに消弧装置，磁気ヨーク，ヨークカバーを組み付けた状態での側面図，平面図，端面図，および矢視Ｘ−Ｘ断面図、図５は第１，第２の固定接触子と橋絡形可動接触子との配置斜視図、図６は電流遮断時に固定／可動接点間に伸長したアークが消弧装置側に転流する過程を表した動作説明図であり、図８に対応する部材には同じ符号を付してその説明は省略する。
まず、図１において、８はモールド樹脂製のユニット組立フレームであり、このユニット組立フレーム８に第１，第２の固定接触子１，２、消弧装置４，固定接触子１，２の接点部に付設する磁気ヨーク６，およびヨークカバー９の各部品を搭載し、図２で表すような電流遮断部のユニット７を組立構成している。
ここで、磁気ヨーク６は磁性板をＵ字形に曲げ加工したもので、その左右に起立する側辺部を上に向けて固定接点１ａ，２ａを左右から囲むように固定接触子１，２の底面側に重ね合わせる。そして、図３で示すように固定接触子１，２をユニット組立フレーム８に装着した状態で、固定接触子１，２とユニット組立フレーム８との間に挟持して所定位置に保持している。なお、図中で１ｂ，２ｂは固定接触子１，２の先端に形成したアークランナー、１ｃは電源側端子である。
【００１３】
また、前記ユニット組立フレーム８の中央には前後方向に延在する衝立状の絶縁バリア８ａが形成されている。この絶縁バリア８ａは、壁の下端部が図３で示すように第１の固定接触子１と第２の固定接触子２との間に分け入って上方に延び、後端が後記する可動接触子３の開極移動経路の領域まで延びている。
一方、消弧装置４は、第１の固定接触子１，第２の固定接触子２と個々に対応する左右の消弧室に仕切られており、その側壁の間には上下段にグリッド板４ａを配列し、さらに最上段には左右の消弧室の間に跨がるアーク転流板４ｂを備えている。また、このアーク転流板４ｂには後記する可動接触子３の開極移動経路に向けて突き出す左右一対のアークランナー４ｂ−１が形成されている。
この消弧装置４は、ユニット組立フレーム８の絶縁バリア８ａを上方から跨ぐようにして組み付け、その左右の消弧室をそれぞれ固定接触子１，２の先端に形成したアークランナー１ｂ，２ｂの上方に対向位置させている。
次に、ヨークカバー９の構造，および組み付け手順について述べる。このヨークカバー９は、図示のように左右側壁が上下方向に延在する断面逆Ｕ形のモールド樹脂成形品で構成され、その左右側壁の先端部（下端側）の外表面には磁気ヨーク６の側辺部に対応した形状の凹部９ａが形成されている。また、ヨークカバー９の高さ寸法は可動接触子３の全開離位置に対応し、奥行き寸法はヨークカバーの側壁により可動接触子の開極移動経路を左右から覆うように定めている。
【００１４】
このヨークカバー９は、次記のような手順でユニット組立フレーム８に装着される。すなわち、先記の固定接触子１，２、磁気ヨーク６、および消弧装置４をユニット組立フレーム８に取付けた組立段階で、その絶縁バリア８ａの左右両側に２組のヨークカバー９を上方から装着する。この際にヨークカバー９の側壁先端部に形成した凹部９ａを磁気ヨーク６の位置に合わせ、上向きに起立するヨーク側辺部の内側にカバー側壁を差し込んでユニット組立フレーム８に装着保持させる。
この組立状態（図４（ａ）〜（ｄ）参照）では、ヨークカバー９の左右側壁が磁気ヨーク６の側辺部を内側から覆い、ここに配置される固定接触子１，２および可動接触子３の接点との間を絶縁隔離している。また、ヨークカバー９の前端は消弧装置４の入口側に突き合わせ、左右の消弧室とヨークカバー９の内空間とが前後に連なるよう配置している。
上記の構成になる電流遮断部の組立ユニット７は、図７に示した従来の回路遮断器と同様に本体ケース１の底部側に装着し、開閉機構部１２に連繋して本体ケースに組み込んだ可動接触子３を固定接触子１，２の上方に対向配置させる。図５はこの組立状態での固定接触子１，２と可動接触子３との配置を表している。
上記構成による電流遮断動作は、図８，図９で述べた従来構造と基本的に同様であり、配電路に過電流（短絡電流など）が流れると、固定接触子１，２と可動接触子３との間に電磁反発力が働いて可動接触子３が開極し始め、可動接点３ａ，３ｂが固定接点１ａ，２ａから開離する。同時に開閉機構部１２がトリップ動作して可動接触子３を開極終端位置に向けて駆動する。
【００１５】
この場合に、図示実施例では可動接触子１，２の接点部には磁気ヨーク６が追加装備されている。これにより、固定接触子１，２に過電流が流れると磁気ヨーク６に発生した磁束が可動接触子３に作用して電磁反発力を強め、可動接触子３の開極速度を高める。
また、可動接触子３の開離に伴い固定接触子１，２の固定接点１ａ，２ａと橋絡形可動接触子３の可動接点３ａとの間にはアークが発弧し、可動接触子３の開極移動に連れてアークが伸長してアーク電圧も増加する。この場合に、図示実施例の構成では、左右に並ぶ第１の固定接触子１と第２の固定接触子２との間、および可動接触子３の開極移動経路がユニット組立フレーム８に形成した絶縁バリア８ａにより絶縁隔離されている。さらに、可動接触子３の開極移動経路も絶縁材のヨークカバー９で左右から覆われ、固定接触子１と２の間には可動接触子３の移動経路を含めた領域で十分な絶縁強度が確保されている。したがって、固定／可動接点間に伸長したアークが可動接触子３の開極移動の途中で固定接点側に転流し、固定接触子１と２とが直接アークで繋がれるような状態になるのを確実に防止できる。
そして、可動接触子３が全開離位置の近くまで開極移動すると、固定／可動接点間に伸長したアークは、図６で表すように可動接触子３のアーム先端から消弧装置４に設けたアーク転流板４ｂに転流する。この場合にアーク転流板４ｂには可動接触子３の開極移動経路に向けてアークランナー４ｂ−１が突き出しているので、アークａｒｃが可動接触子３からアーク転流板４ｂにスムーズに転流する。また、固定接触子側では、アークａｒｃの発弧点が固定接点１ａから先端のアークランナー１ｂに移動する。
【００１６】
これにより、アークは可動接触子３の開極移動経路側から消弧装置４に引き込まれ、左右の消弧室に跨がって最上段に配したアーク転流板４ｂを中継して第１の固定接触子１と第２の固定接触子２との間に伸長したアークがグリッド板４ａの間に分断され、その限流作用により消弧に至る。
このように、可動接触子３の開極動作で固定／可動接点間に発弧，伸長したアークを可動接触子３の開極終端位置近傍で可動接点３ａから消弧装置４のアーク転流板４ｂに転流させることにより、このアーク転流板４ｂを中継点として第１，第２の固定接触子１，２との間に２本のアークが左右の消弧室内で伸長し、消弧装置のグリッド板４ａにより分断されて限流作用を受ける。また、アーク長はアーク転流板４ｂと固定接触子１，２との間の距離範囲に収まるので、そのアーク電圧の上昇も自ず限流遮断能力に見合った値となる。したがって、アーク電圧の過大な上昇で固定接触子の間が絶縁破壊されるおそれはない。さらに、このアーク転流により可動接触子３にはアーク電流が流れなくなるので、可動接点３ａの損耗量を低減して接点の寿命が向上する。
また、本発明の応用実施例として、前記ヨークカバー９をポリアミド系樹脂などの有機高分子材で構成すれば、電流遮断時に固定／可動接点間に発弧，伸長したアーク熱を受けてヨークカバー９の壁面から消弧性のアブレーションガスが発生する。これにより、ヨークカバー９が細隙消弧壁として機能することになって回路遮断器の限流遮断性能をより一層高めることができる。
【図面の簡単な説明】
【００１７】
【図１】電流遮断部のユニット組立構造を表す分解斜視図
【図２】図１のユニット組立状態の外観図
【図３】図１のユニット組立フレームに固定接触子，磁気ヨークの部品を組み付けた組立状態を表す図で、（ａ），（ｂ）はそれぞれ側面図，および平面図、
【図４】図１のユニット組立フレームに消弧装置，磁気ヨーク，ヨークカバーを組み付けた組立状態を表す図で、（ａ）〜（ｃ）はそれぞれ側面図，平面図，端面図、（ｄ）は（ｂ）の矢視Ｘ−Ｘ断面図
【図５】図１のユニットにおける第１，第２の固定接触子と橋絡形可動接触子との配置を表す斜視図
【図６】図１の電流遮断時に固定／可動接点間に伸長したアークが可動接触子から消弧装置に転流する過程を表す動作説明図
【図７】従来における２点切り回路遮断器の全体構成図
【図８】図７における電流遮断部の構成斜視図
【図９】図８の電流遮断部で固定／可動接点間に生じたアークの挙動を示す限流遮断動作の説明  図
【符号の説明】
【００１８】
１    第１の固定接触子
１ａ  固定接点
２    第２の固定接触子
２ａ  固定接点
３    橋絡形可動接触子
３ａ  可動接点
４    消弧装置
４    消弧グリッド板
４ｂ  アーク転流板
４ｂ−１  アークランナー
６    磁気ヨーク
７    電流遮断部の組立ユニット
８    ユニット組立フレーム
８ａ    絶縁バリア
９    ヨークカバー
９ａ  凹部
【図１】
0005256667.tif 000002
【図２】
0005256667.tif 000003
【図３】
0005256667.tif 000004
【図４】
0005256667.tif 000005
【図５】
0005256667.tif 000006
【図６】
0005256667.tif 000007
【図７】
0005256667.tif 000008
【図８】
0005256667.tif 000009
【図９】
0005256667.tif 000010